(57)【特許請求の範囲】
【請求項１】
筒状ケーシング内に中空糸膜の束を装填して両端部分を封止し、中空糸膜の内側空間を、ケーシングの両端に取り付けたキャップ部材に突設された被浄化液用ポートに連通し、ケーシングの内面と中空糸膜の外側面との間の外側空間を、ケーシングの両端部分から突設した浄化液用ポートに連通してなる中空糸型液浄化器用の乾燥装置において、
前記液浄化器を複数取り付け可能な治具と、
該治具を収容し、外部に連通する経路を有する乾燥炉と、
を備え、
前記治具は、
外部に連通する経路を接続する接続部と、
複数の中空糸膜内部用分岐路と、
複数の中空糸膜外部用分岐路と、
上記接続部、中空糸膜内部用分岐路、中空糸膜外部用分岐路を繋ぐ主流路と、
を備え、
前記した複数の中空糸膜内部用分岐路は、分岐部分から先端接続口までの長さ、太さが同じになるように統一され、
前記した複数の中空糸膜外部用分岐路は、分岐部分から先端接続口までの長さ、太さが同じになるように統一され、
前記中空糸膜内部用分岐路の先端接続口を液浄化器の前記被浄化液用ポートの一方に接続し、前記中空糸膜外部用分岐路の先端接続口を液浄化器の前記浄化液用ポートの一方に接続し、
ポンプの作動により中空糸膜の内外を通気して乾燥することを特徴とする中空糸型液浄化器用の乾燥装置。
【請求項２】
前記乾燥炉は、マイクロ波照射装置と、前記治具を載せて回転するターンテーブルと、前記外部に連通する経路と、を備え、ターンテーブル上で液浄化器を回転させながらマイクロ波を照射して乾燥することを特徴とする請求項１に記載の中空糸型液浄化器用の乾燥装置。
【請求項３】
前記治具は、接続治具と支持治具とからなり、
前記接続治具は、ポンプに接続した経路と、この経路から分岐した複数の中空糸膜内部用分岐路と、経路から分岐した複数の中空糸膜外部用分岐路とを備え、
前記支持治具は、水平方向に設けた下支持部から上方に向けて支柱を設け、該支柱から下支持部と平行になるようにして上支持部を水平方向に設け、下支持部の先端部分に、血液浄化器のポートが嵌合可能な切欠きを開設し、この切欠きの上方に位置する上支持部に、血液浄化器のケーシングが横方向から入り込む切欠保持部を形成してなることを特徴とする請求項１または２に記載の中空糸型液浄化器用の乾燥装置。
【請求項４】
前記中空糸膜内部用分岐路と中空糸膜外部用分岐路との配管抵抗に差をつけることにより、中空糸膜内外に圧力差が生じるように構成したことを特徴とする請求項１から３のいずれかに記載の中空糸型液浄化器用の乾燥装置。
【請求項５】
前記中空糸膜内部用分岐路と中空糸膜外部用分岐路との少なくとも一方に絞り部を設けたことを特徴とする請求項４に記載の中空糸型液浄化器用の乾燥装置。
【請求項６】
前記中空糸膜内部用分岐路の最狭部径Ｄ２と中空糸膜外部用分岐路の最狭部径Ｄ１との比を２：１に設定したことを特徴とする請求項１から５のいずれかに記載の中空糸型液浄化器用の乾燥装置。
【請求項７】
請求項１から６のいずれかに記載の乾燥装置を使用し、中空糸膜内部用分岐路と中空糸膜外部用分岐路の配管抵抗に差をつけることにより、中空糸膜内外に圧力差を発生させて中空糸膜内外を通る空気を調整しながら乾燥することを特徴とする中空糸型液浄化器の乾燥方法。
【発明の詳細な説明】
【技術分野】
【０００１】
本発明は、筒状ケーシング内に中空糸膜の束を装填して両端部分を封止した中空糸型液浄化器用の乾燥装置、および乾燥方法に関する。
【背景技術】
【０００２】
筒状ケーシング内に中空糸膜の束を装填して両端部分を封止した中空糸型液浄化器（ダイアライザー）には中空糸内外を滅菌水等で充填したウェットタイプと、滅菌水が充填されていないドライタイプ（セミドライタイプを含む）に大別される。ドライタイプダイアライザーを製造するには、乾燥させた中空糸に湿潤を与えず製造する方法と、湿潤させた後に、必要となる水分量まで乾燥させて製造する方法とが考えられる。
【０００３】
この乾燥に用いられる乾燥装置としては、ハウジングケース（ケーシング）内に未乾燥の中空糸膜の束をＵ字状に差し込んでモジュール化して、このモジュールにキャップを取り付けることなくハウジングケースの一端開口部を開放した状態で乾燥炉の中に入れ、マイクロ波を照射し、モジュールのどちらか一方の開口部に吸引治具を取り付け、乾燥炉内の空気をモジュールの内部を通してから乾燥炉の外に排出して乾燥する方法が開示されている（特許文献１）。
【特許文献１】特開平９−８８８号公報
【発明の開示】
【発明が解決しようとする課題】
【０００４】
前記した従来の乾燥装置は、中空糸膜の束をハウジングケース内に入れて開放した状態のままで乾燥炉内にセットし、この開放状態でマイクロ波を照射して乾燥し、乾燥後も開放状態で次の封止工程のステージに搬送しなければならないので、取り扱いが煩雑であり、自動化も容易ではない。また、開放状態で搬送しなければならないので、中空糸にゴミ等の異物が付着しないように厳重な管理が不可欠となり、面倒である。また、吸引を行うのは中空糸外部のみであるため、中空糸内部の水分が積極的に排出されないため、処理に時間がかかる。
斯かる不都合を解消するために、中空糸膜の束の両端部分をハウジングケース内に封止した後に乾燥することも考えられるが、これでは空気の通りが悪くなって乾燥度合いに個体差が生じてしまう。したがって、品質の安定化に新たな問題が発生してしまう。
【０００５】
本発明は上記に鑑み提案されたもので、その目的は、取り扱い性に優れて安定した乾燥を効率良く行うことができる中空糸膜型液浄化器用乾燥装置、および乾燥方法を提供しようとするものである。
【課題を解決するための手段】
【０００６】
本発明は上記目的を達成するためのものであり、請求項１に記載のものは、筒状ケーシング内に中空糸膜の束を装填して両端部分を封止し、中空糸膜の内側空間を、ケーシングの両端に取り付けたキャップ部材に突設された被浄化液用ポートに連通し、ケーシングの内面と中空糸膜の外側面との間の外側空間を、ケーシングの両端部分から突設した浄化液用ポートに連通してなる中空糸型液浄化器用の乾燥装置において、
前記液浄化器を複数取り付け可能な治具と、
該治具を収容し、外部に連通する経路を有する乾燥炉と、
を備え、
前記治具は、
外部に連通する経路を接続する接続部と、
複数の中空糸膜内部用分岐路と、
複数の中空糸膜外部用分岐路と、
上記接続部、中空糸膜内部用分岐路、中空糸膜外部用分岐路を繋ぐ主流路と、
を備え、
前記した複数の中空糸膜内部用分岐路は、分岐部分から先端接続口までの長さ、太さが同じになるように統一され、
前記した複数の中空糸膜外部用分岐路は、分岐部分から先端接続口までの長さ、太さが同じになるように統一され、
前記中空糸膜内部用分岐路の先端接続口を液浄化器の前記被浄化液用ポートの一方に接続し、前記中空糸膜外部用分岐路の先端接続口を液浄化器の前記浄化液用ポートの一方に接続し、
ポンプの作動により中空糸膜の内外を通気して乾燥することを特徴とする中空糸型液浄化器用の乾燥装置である。
【０００７】
請求項２に記載のものは、前記乾燥炉が、マイクロ波照射装置と、前記治具を載せて回転するターンテーブルと、前記外部に連通する経路と、を備え、ターンテーブル上で液浄化器を回転させながらマイクロ波を照射して乾燥することを特徴とする請求項１に記載の中空糸型液浄化器用の乾燥装置である。
【０００８】
請求項３に記載のものは、前記治具が接続治具と支持治具とからなり、
前記接続治具は、真空ポンプに接続した経路と、この経路から分岐した複数の中空糸膜内部用分岐路と、経路から分岐した複数の中空糸膜外部用分岐路とを備え、
前記支持治具は、水平方向に設けた下支持部から上方に向けて支柱を設け、該支柱から下支持部と平行になるようにして上支持部を水平方向に設け、下支持部の先端部分に、血液浄化器のポートが嵌合可能な切欠きを開設し、この切欠きの上方に位置する上支持部に、血液浄化器のケーシングが横方向から入り込む切欠保持部を形成してなることを特徴とする請求項１または２に記載の中空糸型液浄化器用の乾燥装置である。
【０００９】
請求項４に記載のものは、前記中空糸膜内部用分岐路と中空糸膜外部用分岐路との配管抵抗に差をつけることにより、中空糸膜内外に圧力差が生じるように構成したことを特徴とする請求項１から３のいずれかに記載の中空糸型液浄化器用の乾燥装置である。
【００１０】
請求項５に記載のものは、前記中空糸膜内部用分岐路と中空糸膜外部用分岐路との少なくとも一方に絞り部を設けたことを特徴とする請求項４に記載の中空糸型液浄化器用の乾燥装置である。
【００１１】
請求項６に記載のものは、前記中空糸膜内部用分岐路の最狭部径Ｄ２と中空糸膜外部用分岐路の最狭部径Ｄ１との比を２：１に設定したことを特徴とする請求項１から５のいずれかに記載の中空糸型液浄化器用の乾燥装置である。
【００１２】
請求項７に記載の乾燥方法は、請求項１から６のいずれかに記載の乾燥装置を使用し、中空糸膜内部用分岐路と中空糸膜外部用分岐路の配管抵抗に差をつけることにより、中空糸膜内外に圧力差を発生させて中空糸膜内外を通る空気を調整しながら乾燥することを特徴とする中空糸型液浄化器の乾燥方法である。
【発明の効果】
【００１３】
本発明によれば、１つの乾燥炉を使用して、複数本の中空糸型液浄化器を同時に乾燥処理することができて作業効率を向上させることができ、しかも、複数の中空糸膜内部用分岐路の分岐部分から先端接続口までの長さ、太さが同じになるように統一し、複数の中空糸膜外部用分岐路の分岐部分から先端接続口までの長さ、太さが同じになるように統一してあるので、各液浄化器の中空糸膜の水分含有率（乾燥の度合い）を揃えることができる。
【００１４】
また、マイクロ波照射装置と、前記治具を載せて回転するターンテーブルと、を備え、ターンテーブル上で液浄化器を回転させながらマイクロ波を照射して乾燥すると、効率の良い乾燥処理を行うことができ、しかも乾燥ムラを防止できる。また、前記乾燥治具は接続部をもって乾燥炉と独立したものであるため、治具を複数用意し、入れ替えることで、ほぼ連続的に処理を行うことができる。
【００１５】
そして、治具が接続治具と支持治具とから構成され、支持治具は、水平方向に設けた下支持部から上方に向けて支柱を設け、該支柱から下支持部と平行になるようにして上支持部を水平方向に設け、下支持部の先端部分に、血液浄化器のポートが嵌合可能な切欠きを開設し、この切欠きの上方に位置する上支持部に、血液浄化器のケーシングが横方向から入り込む切欠保持部を形成してあるので、血液浄化器を立てた状態で乾燥することができる。このため、中空糸膜の偏りを防止して、処理液の流れを円滑にできる。
【００１６】
また、前記中空糸膜内部用分岐路と中空糸膜外部用分岐路との配管抵抗に差をつけることにより、中空糸膜内外に圧力差が生じるように構成すると、乾燥効率を高めることができる。
【発明を実施するための最良の形態】
【００１７】
以下、本発明の実施の形態を図面に基づいて説明する。
まず、図１及び図２に基づいて代表的な液浄化器である血液浄化器１の構成について説明する。例示した血液浄化器１は、ケース２の内部に中空糸束３を備えた構成である。
【００１８】
ケース２は、前記中空糸束３を収納可能な筒状のケーシング４と、このケーシング４の一端の開口部に螺合装着される排出側のキャップ部材５と、ケーシング４の他端の開口部に螺合装着される注入側のキャップ部材６とを備えている。ケーシング４は、円筒状部材であり、例えばポリカーボネイトにより構成されている。そして、筒長手方向の一端側には、ケーシング４の内部空間に連通した透析液（浄化液）注入用のポート（本発明の浄化液用ポートの一種）８を筒の側方に向けて突設し、他端側には、ケーシング４の内部空間に連通した透析液排出用のポート（本発明の浄化液用ポートの一種）９を筒の側方に向けて突設している。
【００１９】
このケーシング４における筒長手方向の両端部には封止部１０を設けている。封止部１０は、中空糸束３の端部をケーシング４に接着固定して封止するための部分であり、例えば、シーリング材によって構成される。このシーリング材としては樹脂組成物、例えばウレタン系の接着剤が用いられる。そして、シーリング材は、図２（ａ）に示すように、中空糸束３とケーシング４との間、及び、中空糸束３を構成する中空糸膜１２同士の間に充填されている。これにより、ケーシング４の両端面は、端部が開口した複数の中空糸膜１２同士の間隙を塞いだ封止状態となる。
【００２０】
そして、この封止部１０は、透析液注入ポート８や透析液排出ポート９の開口位置よりも筒長手方向の端部側に設けられる（図１参照）。このため、中空糸膜１２及び封止部１０によってケーシング４の内部空間は、中空糸膜１２の内側空間と外側空間とに区画される。さらに、中空糸膜１２の外側空間は、透析液注入ポート８及び透析液排出ポート９を通じてケーシング４の外部に連通される。そして、中空糸膜１２の中空部である内側空間は、血液などの被浄化液を通じるための第１通液空間として機能し、ハウジングの内面と中空糸膜１２の外側面との間の外側空間は、透析液などの浄化液を通じるための第２通液空間として機能する。
【００２１】
排出側キャップ部材５は、被浄化液用ポートの一種である血液排出ポート１３を有する略漏斗形状のキャップ部材であり、ケーシング４の筒長手方向他端側に螺合装着される。そして、この排出側キャップ部材５には、封止部外表面の外周部分に密着可能なＯリング１４を配設している。このＯリング１４は、封止部外表面に密着することで、ケーシング４と排出側キャップ部材５との境界部分を液密にシールしている。また、注入側キャップ部材６は、排出側キャップ部材５と同様な構造であり、被浄化液用ポートの一種である血液注入ポート１５を設けた略漏斗形状のキャップ部材である。そして、この注入側キャップ部材６は、ケーシング４の筒長手方向一端側に螺合装着され、装着状態においてＯリング１６が封止部外表面に密着し、ケーシング４と注入側キャップ部材６との境界部分を液密にシールする。そして、キャップ部材５，６の装着状態において、排出側キャップ部材５の内部空間、及び、注入側キャップ部材６の内部空間は、各中空糸膜１２の内側空間と共に血液が通る血液流路（被浄化液流路）を構成する。
【００２２】
中空糸膜１２は、図２（ｂ）に示すように、中空糸状の半透膜であり、膜基材の肉厚が５〜５０マイクロメートル、内径が１００〜５００マイクロメートル程度の極めて細いものである。また、樹脂組成物で固定された中空糸束３の両端部には、封止部１０が形成されている。なお、膜基材は、ポリアリレート樹脂（ＰＡＲ）とポリエーテルスルホン樹脂（ＰＥＳ）とからなるポリマーアロイ膜を主たる膜素材とした疎水性高分子製の半透膜である。
【００２３】
次に、乾燥方法について説明する。
乾燥方法としては、血液浄化器１にマイクロ波を照射する方法と、血液浄化器１内に温風を流す方法とがあるが、本実施形態における乾燥処理では、前者のマイクロ波を利用する方法で乾燥を行う。具体的には、内部に残っている洗浄液を圧縮空気などによって押し出すことである程度除去した後、真空ポンプを用いて血液浄化器１内部の蒸気を除去しながら、所定出力のマイクロ波を照射して乾燥を行う。
【００２４】
乾燥装置は、図３に示すように、前記血液浄化器１を複数取付可能な治具２１と、該治具２１を収納可能で対電磁波用シールドされた箱状の乾燥炉２０と、前記乾燥炉２０の側面に配設したマイクロ波照射装置２２と、前記治具２１を載せて回転するターンテーブル２３と、乾燥炉２０外へ連通する経路２５と、を備え、ターンテーブル２３上で血液浄化器１を回転させながらマイクロ波を照射して乾燥する。
【００２５】
前記治具２１は、接続治具２１ａと支持治具２１ｂとに大別することができる。接続治具２１ａは、ポンプ２４に接続されて乾燥炉２０内ほぼ中央に天井から垂下した経路２５を接続する接続部３５と、接続部３５から複数の中空糸膜内部用分岐路２６と複数の中空糸膜外部用分岐路２７とを繋ぐ経路３６と、を備えている。図面の実施形態では、接続部３５から経路３６を垂下し、経路３６の下端分岐部分から２本の中空糸膜外部用分岐路２７を１８０度位相を変えて水平方向に分岐し、両中空糸膜外部用分岐路２７は、分岐部分から先端接続口までの長さＬ１と太さＤ１が両方同じになるように統一され、また、中空糸膜外部用分岐路２７の分岐部分よりも少し上方を分岐部分として２本の中空糸膜内部用分岐路２６を１８０度位相を変えて分岐し、両中空糸膜内部用分岐路２６は、分岐部分から下向き先端接続口までの長さＬ２と太さＤ２が両方同じになるように統一されている。
【００２６】
支持治具２１ｂは、図面に示す実施形態では、下支持部２８から上方に向けて設けた支柱２９から下支持部２８と平行になるようにして上支持部３０を水平方向に設け、乾燥炉２０の底部下面に設けた回転モータ３１の軸３２を乾燥炉２０の底部を貫通させ、乾燥炉２０の内部に設けたターンテーブル２３に載せてある。また、左右に腕状に延出した下支持部２８の先端部分に、血液浄化器１のポート１３（１５）が嵌合可能なＵ字状の切欠き３３を開設し、このＵ字状の切欠き３３の上方に位置する上支持部３０には、血液浄化器１のケーシング４が横方向から入り込む略Ｕ字状の切欠保持部３４を形成してある。したがって、縦方向に向けた血液浄化器１の下側のポート１３（１５）を下支持部２８のＵ字状の切欠き３３内に嵌合して切欠保持部３４内にケーシング４の途中を横から嵌め込み、この状態で当該血液浄化器１を安定した状態で支持することができる。なお、切欠保持部３４は、開口部分を回転方向に向けて形成すると、ターンテーブル２３が急激に回転し始めてもケーシング４を受け止めることができ外れない。
【００２７】
上記した構成からなる乾燥装置により血液浄化器１を乾燥する場合には、まず、血液浄化器１を縦方向に向け、この姿勢で下向きに突出した被浄化液用のポート、すなわち、血液用ポート１３（１５）を下支持部２８のＵ字状の切欠き３３内に差し込んでケーシング４を上支持部３０の切欠保持部３４内に嵌め込む。次に、この状態で接続治具２１ａの中空糸膜外部用分岐路２７の先端接続口を浄化液用ポート９（８）に接続し、前記中空糸膜内部用分岐路２６の先端接続口を上向きの血液ポート１５（１３）に接続する。この様にして、２本の血液浄化器１を乾燥治具２１に接続したら該治具を乾燥炉２０内にあるターンテーブル２３上へ載せる。その後に外部接続用経路２５を治具２１の接続部３５へ接続する。
【００２８】
この様にして準備が整ったならば、乾燥炉２０の扉（図示せず）を閉めて乾燥装置のスイッチをオンにする。すると回転モータ３１が治具２１を血液浄化器１を載せた状態で回転を始めるとともに、マイクロ波照射装置２２が作動してマイクロ波を血液浄化器１に照射し、回転する各血液浄化器１内の中空糸膜１２等に付着した水分の蒸発を促進する。また、スイッチをオンにすると真空ポンプ２４が作動し、経路２５内の空気を吸引し、これにより中空糸膜内部用分岐路２６および中空糸膜外部用分岐路２７が減圧され、この減圧に伴って血液浄化器１の内部の圧力、すなわち、中空糸膜１２の内側空間、および中空糸膜１２の外側面とケーシング４内面との間の外側空間が減圧される。すると、この減圧により血液浄化器１の下側に位置する血液用ポート１３（１５）から外気が中空糸膜１２の内側空間内に導入され、この導入された空気は、前記内側空間内を通過する間に、主として中空糸膜１２の内側表面から蒸発した水分（湿気）を吸収しながら当該空間内を上方に流れて上の血液用ポート１５（１３）から中空糸膜内部用分岐路２６、経路２５を通ってポンプ２４に吸引されてから大気に放出される。同様に、前記した減圧により透析液用ポート８（９）から中空糸膜１２の外側空間内に導入され、この導入された空気は、前記外側空間内を通過する間に、主として中空糸膜１２の外側表面から蒸発した水分（湿気）を吸収しながら当該空間内を上方に流れて上の透析液用ポート９（８）から中空糸膜外部用分岐路２７、経路２５を通ってポンプ２４に吸引されてから大気に放出される。
【００２９】
また、この際に中空糸膜外部用分岐路２７内に絞り部３７を設けることで、前記した血液排出ポート１３から血液注入ポート１５、及び透析液注入ポート８から透析液排出ポート９の流れのみではなく、透析液注入ポート８から中空糸膜１２を通り、血液注入ポート１５へ流れる空気の流れを発生させて乾燥を促進させることができる。すなわち、前記中空糸膜内部用分岐路２６と中空糸膜外部用分岐路２７との配管抵抗に差をつけることにより、中空糸膜の内外に圧力差が生じるように構成し、この圧力差により空気が中空糸膜を膜厚方向に通って膜内部の水分を蒸発させて乾燥させるものである。
【００３０】
中空糸膜内部用分岐路２６と中空糸膜外部用分岐路２７との配管抵抗に差をつける具体的手段として、図３では中空糸膜外部用分岐路２７の途中に絞り部３７を設け、この絞り部３７により、中空糸膜内部用分岐路２６の最狭部径Ｄ２と中空糸膜外部用分岐路２７の最狭部径Ｄ１との比を２：１に設定してある。この様に構成すると、絞り部３７がない場合には１：２．５程度であった中空糸膜内部用分岐路２６の血液側流量（Ｖ２）：中空糸膜外部用分岐路２７の透析液側流量（Ｖ１）が６：１程度に変化し、これにより乾燥効率を約８％向上させることができる。なお、前記構成による変化を圧力比でいうと、中空糸膜内部用分岐路２６の血液側圧力（Ｐ２）：中空糸膜外部用分岐路２７の透析液側圧力（Ｐ１）が１：１．５であったが、これが１０：１になった。
【００３１】
この様にして、２本の血液浄化器１を同時に乾燥する場合、前記した通り、両中空糸膜外部用分岐路２７が、分岐部分から先端接続口までの長さＬ１と太さＤ１が両方同じになるように統一されているので、両血液浄化器１の前記外側空間を通る空気の量が統一され、また、両中空糸膜内部用分岐路２６が、分岐部分から下向き先端接続口までの長さＬ２と太さＤ２が両方同じになるように統一されているので、両血液浄化器１の前記内側空間を通る空気の量が統一されているので、通気による乾燥効果としては両血液浄化器１において均一になる。したがって、水洗した後、乾燥処理した両血液浄化器１の中空糸膜１２の乾燥度合い（水分含有量）を均一にすることができ、乾燥時間やマイクロ波照射時間を調整することにより中空糸膜１２の水分含有量を容易に制御することができる。また、本発明によれば、中空糸膜１２をケーシング４の内部に装填した状態で乾燥するので、内部にゴミ等の侵入のおそれがないばかりでなく、取り扱いが容易であり、自動化し易い。さらに、本実施形態では血液浄化器１を立てた状態で乾燥するので、中空糸膜１２の偏りが少なくなって透析液の流れを均一化できるばかりでなく、外観上も有利である。
【００３２】
この乾燥処理における処理条件（マイクロ波のパラメータ又は温風の温度、乾燥時間等）は、乾燥後の中空糸膜１２における水分含有量に関連している。この中空糸膜１２の水分含有量は、賦活処理時の気泡抜けを良好にする観点で重要である。
【００３３】
なお、前記した実施形態においては、血液浄化器１を立てた状態で２本セットして乾燥処理する構成を採ったが、本発明はこれに限定されるものではない。例えば、経路２５から分岐する中空糸膜内部用分岐路２６と中空糸膜外部用分岐路２７の数を増やして３本以上にしてもよいし、血液浄化器１の姿勢も立てた状態に限らず寝かせたり、斜めにセットしてもよい。
また、中空糸膜の内外で圧力差を得るために中空糸膜外部用分岐路２７内に絞り部３７を設ける方法を採ったが、それに限らず、透析液用ポート８内に絞りを設けても良いし、他端である透析液用ポート９内でも構わない。更には、透析液用ポート９を閉塞する方法でも実現できる。
また、前記した実施形態では真空ポンプ２４を用いて吸引したが、逆に送気ポンプを用いて送風してもよい。要するに、通気は、吸引と送風のいずれでもよい。
【００３４】
また、前記した実施形態では血液浄化器１を乾燥する例を挙げて説明したが、本発明における乾燥対象物はこれに限定されるものではない。例えば、血清浄化器など血液以外の液体を浄化する液浄化器でもよい。
【図面の簡単な説明】
【００３５】
【図１】血液浄化器の断面図である。
【図２】（ａ）は血液浄化器の断面図、（ｂ）は中空糸束の封止部分の拡大断面図である。
【図３】乾燥装置の概略構成図である。
【符号の説明】
【００３６】
１  血液浄化器
２  ケース
３  中空糸束
４  ケーシング
５  血液排出側のキャップ部材
６  血液注入側のキャップ部材
８  浄化液注入用のポート
９  浄化液排出用のポート
１０  封止部
１２  中空糸膜
１３  血液排出ポート
１４  Ｏリング
１５  血液注入ポート
１６  Ｏリング
２０  乾燥炉
２１  治具
２１ａ  接続治具
２１ｂ  支持治具
２２  マイクロ波照射装置
２３  ターンテーブル
２４  ポンプ
２５  経路
２６  中空糸膜内部用分岐路
２７  中空糸膜外部用分岐路
２８  下支持部
２９  支柱
３０  上支持部
３１  回転モータ
３２  ターンテーブル軸
３３  切欠き
３４  切欠保持部
３５  接続部
３６  経路
３７  絞り部
【図１】
0004896060.tif 000002
【図２】
0004896060.tif 000003
【図３】
0004896060.tif 000004